(57)【特許請求の範囲】
【請求項１】
１つのチャンネルの伝送帯域を複数のセグメントに分割し、１以上の前記セグメントで構成される階層を複数同時に伝送するデジタル放送信号を受信するとともに、この受信したデジタル放送信号から階層単位で映像および音声を再生出力するデジタル放送受信装置であって、
前記デジタル放送受信装置は、
移動体に搭載され、
各放送局のチャンネル毎に階層毎の放送方式のデータを関連付けて保持する放送方式保持手段と、
前記放送方式保持手段で保持している各放送局の階層毎の放送方式のデータを参照して、選局されたチャンネルに対応する階層毎の放送方式のデータを取得し、その取得した階層毎の放送方式のデータを用いて受信したデジタル放送信号をデコード用データに復調する切替手段と、
前記復調されたデコード用データを映像データおよび音声データに復号化するデコード手段と、
前記受信したデジタル放送信号の電界強度を検出する電界強度検出手段と、
前記復号化された映像データから階層のブロックノイズ数を検出する再生状態検出手段と、
前記検出した電界強度およびブロックノイズ数を要素として構成される評価尺度を用いて、階層毎の評価値の大小を比較し、評価値の大きい階層を決定する階層決定手段と、
を備え、
前記デジタル放送受信装置は、前記階層決定手段によって決定された評価値の大きい階層に対応する映像データおよび音声データを出力すること、
を特徴とするデジタル放送受信装置。
【請求項２】
前記各放送局の階層毎の放送方式のデータを放送または放送以外の通信媒体を介して取得すること、
を特徴とする請求項１に記載のデジタル放送受信装置。
【請求項３】
前記階層決定手段によって出力する階層が決定される際に、電界強度とブロックノイズ数との重み付けを設定する設定画面を提供する設定画面提供手段を備えること、
を特徴とする請求項２に記載のデジタル放送受信装置。
【請求項４】
前記映像出力している階層の情報を画面に表示する階層情報表示手段を備えること、
を特徴とする請求項３に記載のデジタル放送受信装置。
【請求項５】
１つのチャンネルの伝送帯域を複数のセグメントに分割し、１以上の前記セグメントで構成される階層を複数同時に伝送するデジタル放送信号を受信するとともに、この受信したデジタル放送信号から階層単位で映像および音声を再生出力するデジタル放送受信方法であって、
各放送局のチャンネル毎に階層毎の放送方式のデータを関連付けて保持する放送方式保持ステップと、
前記放送方式保持ステップで保持している各放送局の階層毎の放送方式のデータを参照して、選局されたチャンネルに対応する階層の放送方式のデータを取得し、その取得した階層の放送方式のデータを用いて受信したデジタル放送信号をデコード用データに復調する切替ステップと、
前記復調されたデコード用データを映像データおよび音声データに復号化するデコードステップと、
前記受信するデジタル放送信号の電界強度を検出する電界強度検出ステップと、
前記復号化された映像データから階層のブロックノイズ数を検出する再生状態検出ステップと、
前記電界強度検出ステップで検出した電界強度および前記再生状態検出ステップで検出したブロックノイズ数を要素として構成される評価尺度を用いて、階層毎の評価値の大小を比較し、評価値の大きい階層を出力する階層として決定する階層決定ステップと、
前記階層決定ステップによって決定された評価値の大きい階層に対応する映像データおよび音声データを出力する出力ステップと、
を含むことを特徴とするデジタル放送受信方法。
【請求項６】
前記各放送局の階層毎の放送方式を放送または放送以外の通信媒体を介して取得する取得ステップを含むこと、
を特徴とする請求項５に記載のデジタル放送受信方法。
【発明の詳細な説明】
【０００１】
【発明の属する技術分野】
本発明は、階層伝送によるデジタル放送に対応したデジタル放送受信装置およびデジタル放送受信方法に関する。
【０００２】
【従来の技術】
近年、ＣＳ[Communications Satellite]デジタル放送が開始し、続いてＢＳ[Broadcasting Satellite]デジタル放送も開始し、衛星デジタル放送が普及してきている。デジタル放送では、１つの電波で複数の映像や音声等を伝送できるとともに、品質を低下させずにデータを圧縮できるため、従来のアナログ放送の１チャンネルに割り当てられる伝送帯域に多数のチャンネルを設定できる。
【０００３】
さらに、２００３年には、地上波デジタル放送も予定されている。地上波デジタル放送では、各放送局に割り当てられた伝送帯域を多数のセグメントに分割し、１つ以上のセグメントで構成した階層を複数同時に伝送する階層伝送による放送を予定している。階層伝送では、階層を構成するセグメント数が多いほど、高品質のデータを伝送できるが、自動車等の移動体での受信に弱くなる。そこで、各放送局では、セグメント数を変えた複数の階層を設定し、家庭等の固定受信向け、自動車等の移動体受信向け、あるいは携帯電話受信向けに各々サービスを提供する予定である。これに対応して、電機メーカ等では、階層伝送による地上波デジタル放送に対応したデジタル放送受信装置の開発を進めている。
【０００４】
【発明が解決しようとする課題】
電波塔や各放送局の中継局からのデジタル放送信号を自動車等の移動体に搭載されたデジタル放送受信装置で受信する場合、移動することにより受信場所が変るため、移動体が建物等の影に入ったりあるいは電波塔や中継局からの距離が変化し、受信するデジタル放送信号の電界強度が変化する。また、電波塔や各放送局の中継局に対して移動体が近づいたりあるいは遠ざかったりするため、ドップラ効果により電波塔や各放送局の中継局から放送されたキャリア波における直接波の周波数と建物等で反射した反射波の周波数とが異なる。そのため、フェージング（周波数干渉）により受信するデジタル放送信号の電界強度が変化したり、複数の周波数の変化によりデータを符号化している周波数のキャリア波をデジタル放送受信装置で適切に選択できないために画質や音質が低下する。さらに、移動体の場合、天候の悪化や高速走行等によっても、受信するデジタル放送信号の電界強度が変化する。
【０００５】
そのため、移動体におけるデジタル放送受信装置では、映像や音声が途切れたりあるいは映像や音声が乱れたりする場合がある。このように映像や音声に障害が発生すると、デジタル放送受信装置のユーザに対して不快感を与えたり、あるいは、ユーザが他のチャンネルか他の階層に変更する操作を行わなければならない。また、映像や音声が途切れることによりコマーシャルをユーザに提供できなくなり、広告効果が低下する。
【０００６】
そこで、本発明の課題は、映像や音声を途切れることなく出力できるデジタル放送受信装置およびデジタル放送受信方法を提供することにある。
【０００７】
【課題を解決するための手段】
前記課題を解決した本発明は、階層伝送によるデジタル放送に対応したデジタル放送受信装置において、受信したデジタル放送信号の電界強度または／および画質等の再生状態に応じて最適な階層を決定し、各放送局で設定されている階層毎の放送方式に基づいて決定した階層に切り替えることを特徴とする。
この発明によれば、映像や音声が途切れそうな受信状態の階層で出力している場合でも、受信状態の良好な階層に切り替えて出力することができる。
【０００８】
【発明の実施の形態】
以下、図面を参照して、本発明に係るデジタル放送受信装置およびデジタル放送受信方法の実施の形態を説明する。
【０００９】
本発明に係るデジタル放送受信装置は、伝送帯域を分割した複数のセグメントの組み合わせによる階層で伝送しているデジタル放送信号を受信するとともに、この受信したデジタル放送信号により階層単位で映像出力または／および音声出力するデジタル放送受信装置であって、各放送局の階層毎の放送方式のデータを保持する放送方式保持手段と、放送方式保持手段で保持している各放送局の階層毎の放送方式に基づいて出力する階層を切り替える切替手段とを備えることを特徴とする。このデジタル放送受信装置によれば、映像や音声が途切れそうな階層で出力している場合でも、受信状態が良好な階層に自動で切り替えて出力することができる。
【００１０】
さらに、このデジタル放送受信装置は、前記デジタル放送受信装置において、受信するデジタル放送信号の電界強度を検出する電界強度検出手段または／および階層の再生状態を検出する再生状態検出手段と、検出した電界強度または／および検出した再生状態に基づいて出力する階層を決定する階層決定手段とを備えることを特徴とする。このデジタル放送受信装置によれば、電界強度や画質等の再生状態により出力している階層の受信状態を判断し、その受信状態に基づいて映像や音声が途切れない階層を決定することができる。
【００１１】
また、このデジタル放送受信装置は、前記デジタル放送受信装置において、各放送局の階層毎の放送方式のデータを放送または放送以外の通信媒体を介して取得することを特徴とする。このデジタル放送受信装置によれば、放送局が階層毎の放送方式を変更した場合でも、その変更した放送方式の情報を迅速に取得し、その階層の切り替えに対応できる。
【００１２】
さらに、このデジタル放送受信装置は、前記デジタル放送受信装置において、切り替えた階層の履歴を保持する履歴保持手段と、通信手段とを備え、履歴保持手段に保持した履歴を通信手段によりデジタル放送の課金を行うセンタに送信することを特徴とする。このデジタル放送受信装置によれば、課金を行うセンタに対して受信料を算出するための情報を提供することができる。
【００１３】
また、本発明に係るデジタル放送受信装置は、伝送帯域を分割した複数のセグメントの組み合わせによる階層で伝送しているデジタル放送信号を受信するとともに、この受信したデジタル放送信号により階層単位で少なくとも映像出力するデジタル放送受信装置であって、各放送局の階層毎の放送方式のデータを保持する放送方式保持手段と、放送方式保持手段で保持している各放送局の階層毎の放送方式に基づいて出力する階層を切り替える切替手段と、受信するデジタル放送信号の電界強度を検出する電界強度検出手段または／および階層の再生状態を検出する再生状態検出手段と、検出した電界強度または／および検出した再生状態に基づいて出力する階層を決定する階層決定手段と、出力する階層を決定する基準を電界強度または／および再生状態にするのかを設定する設定画面を提供する設定画面提供手段とを備えることを特徴とする。このデジタル放送受信装置によれば、階層を自動で切り替えるための基準をユーザが設定することができる。
【００１４】
さらに、このデジタル放送受信装置は、前記デジタル放送受信装置において、映像出力している階層の情報を画面に表示する階層情報表示手段を備えることを特徴とする。このデジタル放送受信装置によれば、階層が自動で切り替えられた場合でも、ユーザがその状況を把握することができる。
【００１５】
本発明に係るデジタル放送受信方法は、伝送帯域を分割した複数のセグメントの組み合わせによる階層で伝送しているデジタル放送信号を受信するとともに、この受信したデジタル放送信号により階層単位で映像出力または／および音声出力するデジタル放送受信方法であって、受信するデジタル放送信号の電界強度を検出する電界強度検出ステップまたは／および階層の再生状態を検出する再生状態検出ステップと、電界強度検出ステップで検出した電界強度または／および再生状態検出ステップで検出した再生状態に基づいて出力する階層を決定する階層決定ステップと、各放送局の階層毎の放送方式に基づいて、階層決定ステップで決定した階層に切り替える切替ステップとを含むことを特徴とする。このデジタル放送受信方法によれば、映像や音声が途切れそうな階層で出力している場合でも、受信状態が良好な階層に自動で切り替えて出力することができる。
【００１６】
さらに、このデジタル放送受信方法は、前記デジタル放送受信方法において、各放送局の階層毎の放送方式を放送または放送以外の通信媒体を介して取得する取得ステップを含むことを特徴とする。このデジタル放送受信方法によれば、放送局が階層毎の放送方式を変更した場合でも、その変更した放送方式の情報を迅速に取得し、その階層の切り替えに対応できる。
【００１７】
なお、階層毎の放送方式は、各放送局において階層毎に設定している伝送路符号化におけるパラメータであり、例えば、モード、キャリアの変調方式、ガードインターバル、誤り訂正の内符号等である。階層の再生状態は、受信したデジタル放送信号を階層単位で再生した場合の映像の状態や音声の状態であり、例えば、画質、音質である。放送以外の通信媒体は、例えば、電話回線等の有線回線、衛星回線等の無線回線等である。デジタル放送の課金を行うセンタは、デジタル放送における各放送局の課金を行う事業体における通信手段を備える施設であり、放送局毎に課金を行う場合には放送局毎に設けられる施設でもよいし、全ての放送局を纏めて課金を行う場合には独立した事業体による施設あるいは全放送局による共同運営による施設でもよいし、様々な形態の施設が考えられる。
【００１８】
本実施の形態では、本発明に係るデジタル放送受信装置を、自動車に搭載されるデジタルテレビ放送受信装置に適用する。本実施の形態に係るデジタルテレビ放送受信装置は、地上波デジタルテレビ放送システムにおける多数のテレビ放送局からのテレビ番組コンテンツを含むデジタル放送信号を受信し、映像出力および音声出力する装置である。本実施の形態に係る地上波デジタルテレビ放送システムでは、変調方式としてＯＦＤＭ[Orthogonal Frequency Division Multiplexing]（直交周波数分割多重方式）を採用しており、各テレビ放送局からのデジタル放送信号をテレビ塔を介して放送している。また、本実施の形態に係る地上波デジタルテレビ放送システムでは、各テレビ放送局の情報の提供や課金等を行うための管理センタを有し、管理センタと各デジタルテレビ放送受信装置とがインターネットを介して接続している。
【００１９】
まず、図１を参照して、地上波デジタルテレビ放送システムＳの全体構成について説明する。図１は、地上波デジタルテレビ放送システムの全体構成図である。
【００２０】
地上波デジタルテレビ放送システムＳでは、多数のテレビ放送局ＴＳ，・・・が局毎のデジタル放送信号ＤＳ，・・・をテレビ塔ＴＴに各々送信し、そのデジタル放送信号ＤＳ，・・・をテレビ塔ＴＴから地上波放送している。そして、地上波デジタルテレビ放送システムＳでは、各デジタルテレビ放送受信装置１，・・・がテレビ塔ＴＴから放送されたデジタル放送信号ＤＳ，・・・を受信している。また、地上波デジタルテレビ放送システムＳでは、各デジタルテレビ放送受信装置１と管理センタＣＳとが電話回線を利用したインターネットＩＮにより接続し、地上波デジタルテレビ放送に関する情報を送受信している。ちなみに、地上波デジタルテレビ放送システムＳでは、テレビ塔ＴＴからのデジタル放送信号ＤＳ，・・・を、図示しない家庭等に設置される固定のデジタルテレビ放送受信装置、電車や船舶等に搭載される他の移動体のデジタルテレビ放送受信装置、携帯電話等の１つの機能として備えられるデジタルテレビ放送受信装置等でも受信している。
なお、本実施の形態では、テレビ放送局ＴＳが特許請求の範囲に記載する放送局に相当し、デジタルテレビ放送受信装置１が特許請求の範囲に記載するデジタル放送受信装置に相当し、電話回線を利用したインターネットＩＮが特許請求の範囲に記載する放送以外の通信媒体に相当する。
【００２１】
図１乃至図６を参照して、テレビ放送局ＴＳについて説明する。図２は、セグメントの分割の例であり、（ａ）は１＋１２セグメントの分割例であり、（ｂ）は１＋９＋３セグメントの分割例である。図３は、１＋９＋３セグメントの分割を例としてセグメント数と映像品質およびエラー耐性との関係を説明する図である。図４は、デジタル放送信号の伝送スペクトルの受信方式の説明図である。図５は、テレビ放送局の構成図である。図６は、デジタル放送信号を生成するためのＭＰＥＧ２ＴＳの説明図である。
【００２２】
テレビ放送局ＴＳは、数ＭＨｚの伝送帯域の１つのチャンネルが割り当てられており、ドラマ、スポーツ、バラエティ、ニュース等の様々なテレビ番組コンテンツを有料で提供する放送局である。各テレビ放送局ＴＳでは、テレビ番組コンテンツを提供するために、テレビ番組コンテンツのデータを含むデジタル放送信号ＤＳを生成し、このデジタル放送信号ＤＳをテレビ塔ＴＴに送信している。
【００２３】
さらに、各テレビ放送局ＴＳでは、固定受信向け、移動体受信向け、あるいは携帯電話受信向け等のサービスを提供するために、１つのテレビ番組コンテンツを１〜３つの階層で提供しており、階層毎に放送方式を設定している。そのため、デジタルテレビ放送受信装置１では、各テレビ放送局ＴＳに割り当てられているチャンネルを選択すると、そのチャンネルで同じテレビ番組コンテンツを１〜３つの階層で出力できる。
【００２４】
また、テレビ放送局ＴＳでは、テレビ番組コンテンツの提供料（受信料）をユーザから集金するために、管理センタＣＳを運営する事業体と集金契約を結んでおり、その事業体からテレビ番組コンテンツ毎の階層別の視聴率に基づいて提供料を月毎に受け取っている。また、テレビ放送局ＴＳでは、階層毎に設定している放送方式をユーザに提供するために、管理センタＣＳの放送方式情報提供センタＯＳに階層毎の放送方式の情報を提供している（図７参照）。ちなみに、テレビ放送局ＴＳでは、テレビ番組コンテンツの提供料の他にテレビ番組コンテンツの中で流すコマーシャルを提供する企業から広告料を受け取っており、これらの収入により事業を運営している。テレビ放送局ＴＳでは、コマーシャルを提供する企業とテレビ番組コンテンツ毎に広告契約を結んでいる。この広告契約における広告料の設定は、階層別の視聴率に基づいて設定し、セグメント数の少ない階層の視聴率が高いほど広告料を高くする場合がある。というのは、セグメント数の少ない階層ほどエラー耐性が高いので、映像や音声が途切れる確率が低くなり、ひいてはコマーシャルを視聴者に見せることができる確率が高くなり、広告効果に優れるからである。
【００２５】
図２、図３および図４を参照して、階層について説明する。
階層は、映像や音声の品質およびデジタル放送信号ＤＳを受信する際のエラーに対する耐性を考慮して設定され、固定のデジタルテレビ放送受信装置を対象とした階層、自動車等の移動体に搭載されるデジタルテレビ放送受信装置を対象とした階層、あるいは携帯電話に備えられるデジタルテレビ放送受信装置を対象とした階層がある。１つの階層は、割り当てられた伝送帯域において等分割された１３個のセグメントのうちの幾つかの組み合わせで構成される。テレビ放送局ＴＳによって階層数や各階層を構成するセグメント数が異なり、例えば、図２（ａ）は１個のセグメントで構成されるＡ階層と１２個のセグメントで構成されるＢ階層の２つの階層で階層伝送を行う場合であり、図２（ｂ）は１個のセグメントで構成されるＡ階層、９個のセグメントで構成されるＢ階層と３個のセグメントで構成されるＣ階層の３つの階層で階層伝送を行う場合である。
【００２６】
各セグメントは、等分割されているので、同量のデータを伝送することができる。したがって、図３に示すように、セグメント数が多い階層ほど、同じテレビ番組コンテンツでも画面の画素数や各画素の階調数等が多いデータで構成でき、テレビ番組コンテンツの品質を高く設定できる。また、セグメント数が多い階層は、受信状態が良好な固定向け等を対象としているので、放送方式において品質を重視したパラメータが設定される。一方、図３に示すように、セグメント数が少ない階層ほど、伝送できるデータ量が少ないためにデータがエラーになる確率が小さくなり、エラー耐性が高くなる。また、セグメント数が少ない階層では、受信状態が悪くなる恐れがある移動体向け等を対象としているので、放送方式においてエラーの耐性を重視したパラメータが設定される。
【００２７】
地上波デジタルテレビ放送システムＳでは変調方式としてＯＦＤＭを採用しており、セグメント単位でＯＦＤＭにより各々変調された信号となっている。そのため、デジタルテレビ放送受信装置の構成を変えることにより、図４に示すように、デジタル放送信号ＤＳの１３個の全てのセグメントを受信することもできるし、あるいは、１３個の全てのセグメントのうち１つのセグメントだけを部分受信することもできる。本実施の形態に係るデジタルテレビ放送受信装置１は、１３個の全てのセグメントを受信することができる構成である。ちなみに、デジタル放送信号ＤＳを受信する場合、低周波数側から高周波数側を走査して受信する。
【００２８】
放送方式について説明する。
放送方式は、固定受信用、移動体受信用あるいは携帯電話受信用のいずれを対象とする階層かを考慮して設定され、設定するパラメータとしてはモード、キャリアの変調方式、ガードインターバルおよび誤り訂正の内符号がある。
【００２９】
モードは、ＳＦＮ[Single Frequency Network]の置局間距離への適合性、あるいは、移動受信におけるドップラシフトへの耐性を考慮し、ドップラ効果に強い順（ＯＦＤＭキャリア間隔が広い順）にモード１（４ｋＨｚ）、モード２（２ｋＨｚ）、モード３（１ｋＨｚ）がある。移動体で受信する場合等のドップラ効果による影響を少なくするためには、ＯＦＤＭキャリア間隔が広いモードを選択する必要があるが、有効シンボル長が短くなるとともにガードインターバルも短くなるのでゴーストの影響を受け易くなる。
【００３０】
キャリアの変調方式は、１つのキャリアに多くのデータを乗せればデジタルデータに誤りが発生し易くなることから、誤りに強い順（伝送容量の少ない順）に、ＤＱＰＳＫ[Differential Quaternary Phase Shift Keying]、ＱＰＳＫ[Quaternary Phase Shift Keying]、１６ＱＡＭ[Quadrature Amplitude Modulation]、６４ＱＡＭがある。移動体で受信する場合等の電界強度の変動による情報の誤りの発生を少なくするためには、誤りに強い変調方式を設定する必要があるが、データ量が少なくなるので品質は低下する。
【００３１】
ガードインターバルは、キャリアに分配されたデータを伝送する単位であるシンボルの有効シンボル長に対して、ゴーストに強い順に１／４、１／８、１／１６、１／３２がある。直接波と反射波とによるゴーストによる影響を少なくするためには、ガードインターバルの長さを長くする必要が、データ量が少なくなるので品質は低下する。
【００３２】
誤り訂正の内符号は、畳み込み符号として１／２、２／３、３／４、５／６、７／８がある。
【００３３】
図５を参照して、テレビ放送局ＴＳの構成について説明する。
テレビ放送局ＴＳには、デジタル放送信号ＤＳを生成して送信するために、デジタルデータ生成手段ＴＳａ、デジタル変動手段ＴＳｂおよび送信手段ＴＳｃが備えられている。また、テレビ放送局ＴＳには、管理センタＣＳの放送方式情報提供センタＯＳ（図７参照）に階層毎の放送方式をインターネットＩＮ（図１参照）を介して送信するために、インターネットＩＮに接続可能な通信用のパーソナルコンピュータ等の端末装置（図示せず）を備えている場合がある。
【００３４】
図５および図６を参照して、デジタルデータ生成手段ＴＳａについて説明する。
デジタルデータ生成手段ＴＳａでは、デジタルカメラ（図示せず）で撮影した映像データおよび音声データをＭＰＥＧ[Moving Picture Experts Group]２Ｓｙｓｔｅｍｓで規定されるＴＳ[Transport Stream]（トランスポートストリーム）に変換し、デジタル変調手段ＴＳｂに出力する。まず、デジタルデータ生成手段ＴＳａでは、映像データをＭＰＥＧ２Ｖｉｄｅｏ方式により圧縮符号化し、特に、携帯電話を対象とした階層用としてＭＰＥＧ４Ｖｉｄｅｏ方式により圧縮符号化する。また、デジタルデータ生成手段ＴＳａでは、音声データをＭＰＥＧ２ＡＣＣ[Advanced Audio Coding]方式により圧縮符号化する。さらに、デジタルデータ生成手段ＴＳａでは、符号化映像データを分割するとともに符号化音声データを分割し、この分割した符号化映像データおよび符号化音声データをＰＥＳ[Packetized Elementary Stream]に格納する。また、デジタルデータ生成手段ＴＳａでは、ＭＰＥＧ２ＴＳから復号化するための情報またはテレビ番組コンテンツの情報等をＳｅｃｔｉｏｎに格納する。そして、デジタルデータ生成手段ＴＳａでは、多重化によりＰＥＳやＳｅｃｔｉｏｎからＭＰＥＧ２ＴＳを生成する。
【００３５】
図５を参照して、デジタル変調手段ＴＳｂについて説明する。
デジタル変調手段ＴＳｂでは、多数のＭＰＥＧ２ＴＳからデジタル放送信号ＤＳを生成し、送信手段ＴＳｃに出力する。まず、デジタル変動手段ＴＳｂでは、ＭＰＥＧ２ＴＳに対して、各テレビ放送局ＴＳで設定している階層数に応じて並列処理を行っている。この並列処理では、セグメント単位で階層毎に設定しているパラメータに基づいてカードインターバルの設定、モード設定、誤り訂正符号化、キャリア変調、周波数インターリーブ、時間インターリーブ等の処理を施し、制御情報としてＴＭＣＣ［Transmission  Multiplexing  Configuration  Control］や同期再生用のパイロット信号等を付加する。そして、並列処理していた全階層の１３個のセグメントをＩＦＦＴ[Inverse Fast Fourier Transform]により一括してＯＦＤＭ信号に変換し、デジタル放送信号ＤＳを生成する。
【００３６】
図５を参照して、送信手段ＴＳｃについて説明する。
送信手段ＴＳｃでは、送信用アンテナ（図示せず）からデジタル放送信号ＤＳをテレビ塔ＴＴに送信する（図１参照）。
【００３７】
図１および図７を参照して、管理センタＣＳの構成について説明する。図７は、管理センタの構成図である。
【００３８】
管理センタＣＳは、全てのテレビ放送局ＴＳ，・・・から独立した事業体が運営している施設であり、地上波デジタルテレビ放送システムＳにおいてやりとりされる情報やお金を管理している。そのために、管理センタＣＳには、課金センタＩＳ、視聴率管理センタＲＳおよび放送方式情報提供センタＯＳが設けられている。
【００３９】
管理センタＣＳを運営する事業体は、各テレビ放送局ＴＳ，・・・と集金契約を結んでおり、各テレビ放送局ＴＳ，・・・にテレビ番組コンテンツ毎の階層別の視聴率に基づいて提供料を月毎に支払っている。また、管理センタＣＳを運営する事業体は、ユーザに地上波デジタルテレビ放送の受信に対して課金するために、各ユーザと課金契約を結んでおり、ユーザから受信料を月毎に徴収する。ちなみに、課金契約には、各ユーザが提供する課金情報を視聴率を算出する際に利用してよいか否かの条件も含まれている。さらに、管理センタＣＳを運営する事業体は、ユーザに各テレビ放送局ＴＳ，・・・の階層毎の放送方式の情報を提供するために、各ユーザと情報提供契約を結んでおり、ユーザから情報提供料を月毎に徴収する。ちなみに、管理センタＣＳを運営する事業体では、課金業務料（＝受信料−提供料）や情報提供料等により事業を運営している。
なお、本実施の形態では、課金センタＩＳが特許請求の範囲に記載するデジタル放送の課金を行うセンタに相当する。
【００４０】
図１および図７を参照して、課金センタＩＳについて説明する。
課金センタＩＳでは、各デジタルテレビ放送受信装置１，・・・からインターネットＩＮを介して課金情報２６ａ（図１７参照）を一日毎に受信し、この課金情報２６ａに基づいて各デジタルテレビ放送受信装置１，・・・での受信に対して一月毎に受信料を算出し、各デジタルテレビ放送受信装置１，・・・のユーザから受信料を徴収する。そのために、課金センタＩＳは、課金サーバ（図示せず）および課金情報データベース（図示せず）を備えている。
【００４１】
課金サーバは、ハードウエアとして、図示しない主制御装置、記憶装置、入出力装置、通信制御装置等から構成されており、これらの装置をバスで接続している。また、課金情報データベースは、前記した記憶装置の一部に構成されている。主制御装置は、ＭＰＵ[Micro Processing Unit]およびＲＡＭ[Random Access Memory]等から構成され、課金サーバを統括制御する。さらに、主制御装置は、ＷＷＷ[World Wide Web]サーバプログラムを備えている。ＷＷＷサーバプログラムは、ＨＴＴＰ[Hyper Text Transfer Protocol]で通信するための通信基盤プログラムである。なお、ＷＷＷサーバプログラムは、課金サーバがインターネットＩＮに接続されると、ＲＡＭ上にロードされてＭＰＵで実行される。前記した記憶装置は、ハードディスク装置や光磁気ディスク装置等から構成される。記憶装置は、課金サーバの各種プログラムを格納するとともに、課金情報データベース等を格納している。前記した入出力装置は、キーボード、マウス、表示装置、ＣＤ−ＲＯＭドライバ等から構成され、Ｉ／Ｏ装置を介して接続されている。前記した通信制御装置は、モデム等から構成され、インターネットＩＮによる情報の送受信を実現する。
【００４２】
課金サーバでは、各デジタルテレビ放送受信装置１，・・・から一日毎にインターネットＩＮを介して送信される課金情報２６ａを課金情報データベースに格納する（図１７参照）。そして、課金サーバでは、月末に、課金情報データベースから各デジタルテレビ放送受信装置１，・・・の一月分の課金情報２６ａを読み出し、課金情報２６ａからの階層別の受信時間等に基づいて課金契約の受信料の内容に従って各デジタルテレビ放送受信装置１，・・・での受信に対する受信料を各々算出する。ちなみに、課金契約の受信料の設定としては、例えば、月毎の時間無制限の初期受信料およびセグメント数の少ない階層の割引率を設定しておき、初期受信料からセグメント数の少ない階層の受信を割引率に応じて減算していく方法、あるいは、１分毎の受信料をセグメント数の少ない階層ほど少額に設定し、セグメント数の異なる階層毎の受信時間を算出して受信料を加算していく方法等がある。このように、セグメント数の少ない階層を割引の対象としたりあるいは受信料を少額に設定するので、セグメント数の少ない階層ほどエラー耐性が高いのは、映像や音声が途切れる確率が低くなる。そのため、テレビ番組コンテンツ中に流れるコマーシャルをユーザに見せることができる確率が高くなり、広告効果に優れるからである。
【００４３】
図１および図７を参照して、視聴率管理センタＲＳについて説明する。
視聴率管理センタＲＳでは、課金センタＩＳの課金サーバを介して課金情報２６ａ（図１７参照）を読み出し、この課金情報２６ａに基づいて各テレビ放送局ＴＳ，・・・のテレビ番組コンテンツの階層毎の視聴率を算出する。さらに、視聴率管理センタＲＳでは、課金情報２６ａの受信位置の情報や電界強度および映像状態を利用して受信状態の悪い場所を推定する。そのために、視聴率管理センタＲＳは、視聴率管理サーバ（図示せず）および視聴率データベース（図示せず）を備えている。視聴率管理サーバは、ハードウエアとして前記した課金サーバと同様の構成を有している。また、視聴率データベースは、視聴率管理サーバの記憶装置の一部に構成されている。
【００４４】
視聴率管理サーバでは、一日毎に、課金情報２６ａの受信チャンネル、受信階層、受信時間に基づいて（図１７参照）、各テレビ番組コンテンツの階層毎の視聴率を算出し、視聴率データベースに格納する。ちなみに、各テレビ番組コンテンツの階層毎の視聴率は、各テレビ放送局ＴＳ，・・・に対して支払うテレビ番組コンテンツ毎の階層別の視聴率に応じた提供料を算出する際にも利用される。また、視聴率管理サーバでは、一日毎に、課金情報２６ａの受信チャンネル、受信階層、受信位置の緯度、経度、電界強度、映像状態、その受信位置の時間に基づいて、各受信チャンネルの階層毎に受信状態の悪い位置（すなわち、フェージングが発生する周波数の干渉エリア）を推定する。ちなみに、各受信チャンネルの階層毎に受信状態の悪い位置の情報を各テレビ放送局ＴＳ，・・・に提供することにより、各テレビ放送局ＴＳ，・・・では、階層毎の放送方式のパラメータの変更等によって受信状態の悪い位置を山奥や海上等のデジタルテレビ信号ＤＳを受信しないと推定できる場所に移動させる。
【００４５】
図１および図７を参照して、放送方式情報提供センタＯＳについて説明する。放送方式情報提供センタＯＳでは、各テレビ放送局ＴＳ，・・・から提供された階層毎の放送方式をデータベースに格納しておき、各デジタルテレビ放送受信装置１，・・・に階層毎の放送方式をインターネットＩＮを介して送信する。そのために、放送方式情報提供センタＯＳは、放送方式情報提供サーバ（図示せず）および放送方式情報データベース（図示せず）を備えている。放送方式情報提供サーバは、ハードウエアとして前記した課金サーバと同様の構成を有している。また、放送方式情報データベースは、放送方式情報提供サーバの記憶装置の一部に構成されている。
【００４６】
放送方式情報提供サーバでは、定期的（例えば、一日毎、一週間毎）にまたはテレビ放送局ＴＳが階層毎の放送方式を変更する毎にあるいはユーザ側（デジタルテレビ放送受信装置１）からの要求毎に、チャンネル−放送方式対応テーブルを各デジタルテレビ放送受信装置１，・・・にインターネットＩＮを介して送信する（図９参照）。ちなみに、情報提供契約の情報提供料の設定としては、例えば、月毎の一定額の情報提供料を設定しておく方法、あるいは、チャンネル−放送方式対応テーブルの一回の提供に対して情報提供料を設定しておき、提供される回数に応じて情報提供料する方法等がある。
【００４７】
図８乃至図１７を参照して、デジタルテレビ放送受信装置１について説明する。図８は、デジタルテレビ放送受信装置の構成図である。図９は、チャンネル−放送方式対応テーブルであり、（ａ）はチャンネル−放送方式コード対応テーブルであり、（ｂ）は放送方式コード毎の放送方式対応テーブルである。図１０は、デジタルテレビ放送受信装置のリモコンの正面図である。図１１は、デジタルテレビ放送受信装置におけるユーザによる設定の説明図である。図１２は、デジタルテレビ放送受信装置における受信方法設定画面である。図１３は、デジタルテレビ放送受信装置における課金設定画面である。図１４は、デジタル放送信号の受信時の電界強度検出方法の説明図である。図１５は、映像における画質検出方法の説明図であり、（ａ）は良好な画質の場合であり、（ｂ）は不良の画質の場合である。図１６は、デジタルテレビ放送受信装置における受信状態を示す画面の一例である、（ａ）は３セグメントの階層の受信状態が正常時の画面であり、（ｂ）は３セグメントの階層の受信状態が異常時の画面であり、（ｃ）は受信するセグメントの階層を検索中の画面であり、（ｄ）は１セグメントの階層に切り替え時の画面である。図１７は、課金情報のデータ構成図である。
【００４８】
デジタルテレビ放送受信装置１は、自動車に搭載され、ユーザのチャンネルおよび階層の選択に応じてテレビ番組コンテンツの映像や音声を出力する。デジタルテレビ放送受信装置１では、自動車に移動に伴ってデジタル放送信号ＤＳを受信する位置が絶えず変るので、電界強度や画質等の受信状態が変化する。また、デジタルテレビ放送受信装置１は、デジタル放送信号ＤＳに含まれる全ての階層を受信でき、ユーザの設定に応じて階層を自動で切り替えることができる。ちなみに、デジタルテレビ放送受信装置１を搭載している自動車は、ナビゲーション装置も搭載している。
なお、本実施の形態では、自動車が特許請求の範囲に記載する移動体に相当する。
【００４９】
図８を参照して、デジタルテレビ放送受信装置１の構成を説明する。
デジタルテレビ放送受信装置１は、主として、通信手段１０、チャンネル放送方式対応テーブルデータベース１１、操作信号受信手段１２、ユーザ設定手段１３、設定情報保持手段１４、セグメント受信手段１５、セグメント受信状態検出手段１６、セグメント受信状態履歴保持手段１７、階層切替手段１８、デコード手段１９、映像状態検出手段２０、映像状態履歴保持手段２１、出力手段２２、再生階層通知手段２３、切替ルール生成手段２４、課金設定手段２５、切替履歴保持手段２６から構成される。そのために、デジタルテレビ放送受信装置１は、ハードウエアとして、ＣＰＵ[Central Processing Unit]、各種記憶装置、各種入出力装置、通信制御装置、各種電子回路、受信アンテナ、液晶ディスプレイ、スピーカ、アンプ等を備えている。
なお、本実施の形態では、通信手段１０が特許請求の範囲に記載する通信手段に相当し、チャンネル放送方式対応テーブルデータベース１１が特許請求の範囲に記載する放送方式保持手段に相当し、セグメント受信状態検出手段１６が特許請求の範囲に記載する電界強度検出手段に相当し、階層切替手段１８が特許請求の範囲に記載する切替手段に相当し、映像状態検出手段２０が特許請求の範囲に記載する再生状態検出手段に相当し、切替ルール生成手段２４が特許請求の範囲に記載する階層決定手段に相当し、切替履歴保持手段２６が特許請求の範囲に記載する履歴保持手段に相当し、ユーザ設定手段１３および出力手段２２が特許請求の範囲に記載する設定画面提供手段に相当し、再生階層通知手段２３および出力手段２２が特許請求の範囲に記載する階層情報表示手段に相当する。
【００５０】
図８を参照して、通信手段１０について説明する。
通信手段１０は、管理センタＣＳとインターネットＩＮを介して情報を送受信するための手段である。そのために、通信手段１０は、モデム等の通信制御装置等を備えるとともにＷＷＷブラウザを備え、インターネットＩＮ上に存在する種々のサーバ（ＷＷＷサーバ等）に接続する。通信手段１０では、午前０時毎に、課金センタＩＳの課金サーバにインターネットＩＮを介して接続し（図７参照）、切替履歴保持手段２６に保持している課金情報２６ａを送信する（図１７参照）。また、通信手段１０では、放送方式情報提供センタＯＳの放送方式情報提供サーバからインターネットＩＮを介して接続し、チャンネル−放送方式対応テーブルを受信すると（図９参照）、そのチャンネル−放送方式対応テーブルをチャンネル放送方式対応テーブルデータベース１１に格納する。
【００５１】
図８および図９を参照して、チャンネル放送方式対応テーブルデータベース１１について説明する。
チャンネル放送方式対応テーブルデータベース１１は、各テレビ放送局ＴＳ，・・・（各チャンネル）毎の放送方式を格納しているデータベースである。そのために、チャンネル放送方式対応テーブルデータベース１１は、チャンネル−放送方式コード対応テーブル１１ａおよび放送方式対応テーブル１１ｂからなるデータベースをハードディスク等の記憶装置に構成している。チャンネル−放送方式コード対応テーブル１１ａは、図９（ａ）に示すように、各テレビ放送局ＴＳ，・・・に割り当てられているチャンネルに対してユニークな番号からなる放送方式コードを対応付けしたテーブルであり、地上波デジタルテレビ放送システムＳを構成する全ての各テレビ放送局ＴＳ，・・・のチャンネルの情報を有している。放送方式対応テーブル１１ｂは、図９（ｂ）に示すように、放送方式コード毎（すなわち、各テレビ放送局ＴＳ，・・・毎）の階層数および各階層の種類、モード、キャリアの変調方式、ガードインターバル、誤り訂正の内符号とセグメント数の情報を格納したテーブルであり、地上波デジタルテレビ放送システムＳを構成する全ての各テレビ放送局ＴＳ，・・・の放送方式の情報を有している。
【００５２】
図８および図１０を参照して、操作信号受信手段１２について説明する。
操作信号受信手段１２は、リモコン３０からの操作信号を受信するための手段である。そのために、操作信号受信手段１２は、赤外線受光部や受信回路等を備えている。操作信号受信手段１２では、ユーザによるリモコン３０の各種ボタンへの操作に応じて発せられた赤外線による操作信号を受光し、操作信号を操作コードに変換する。操作コードは、リモコン３０の各ボタンの操作に対して各々割り当てられたコードである。ちなみに、リモコン３０には、電源ボタン３０ａ、各種設定画面に遷移するための設定ボタン３０ｂ、チャンネルを選択するための数字ボタン３０ｃ、階層を選択するための英字ボタン３０ｄ、各種設定画面で移動するための４方向ボタン３０ｅ、設定画面で決定するための決定ボタン３０ｆ等を備えている。
【００５３】
図８、図１０、図１１、図１２、図１３を参照して、ユーザ設定手段１３について説明する。
ユーザ設定手段１３は、デジタルテレビ放送受信装置１において階層を自動で切り替える際の切替基準をユーザが設定するための手段である。そのために、ユーザ設定手段１３は、ＶＲＡＭ[Video RAM]やハードディスク等の記憶装置に各種画面データを備えており、ＣＰＵによってユーザ設定プログラムが実行されて処理を行っている。
【００５４】
図１１に沿って設定メニュー画面ＭＳに関する遷移を説明する。ユーザ設定手段１３では、出力手段２２の液晶ディスプレイＬＤにテレビ画面ＴＳが表示されているときに、操作信号受信手段１２から操作信号として設定ボタン３０ｂが押された操作コードを受け取ると、テレビ画面ＴＳ上に設定メニュー画面ＭＳを表示する。設定メニュー画面ＭＳは、受信方法設定と課金設定とを選択するための画面である。ユーザ設定手段１３では、設定メニュー画面ＭＳが表示されているときに、操作信号受信手段１２から操作信号として上または下ボタン３０ｅが押された操作コードを受け取ると、受信方法設定と課金設定との選択を切り替える。また、ユーザ設定手段１３では、設定メニュー画面ＭＳで受信方法設定または課金設定が選択されているときに、操作信号受信手段１２から操作信号として決定ボタン３０ｆが押された操作コードを受け取ると、設定メニュー画面ＭＳから受信方法設定画面ＷＳまたは課金設定画面ＦＳに切替表示する。
【００５５】
図１２に示す受信方法設定画面ＷＳについて説明する。受信方法設定画面ＷＳは、階層を自動で切り替える際の切替基準を受信状態で設定するための画面であり、画質が悪くなったら切り替えるのか、電波の状態が悪くなったら切り替えるのか、あるいは、画質と電波状態の両方を考慮して切り替えるのかを選択することができる。ユーザ設定手段１３では、受信方法設定画面ＷＳが表示されているときに、操作信号受信手段１２から操作信号として上または下ボタン３０ｅが押された操作コードを受け取ると、前記３つの切替基準の選択を順次切り替える。また、ユーザ設定手段１３では、受信方法設定画面ＷＳで前記３つの切替基準のうちいずれか１つの切替基準が選択されているときに、操作信号受信手段１２から操作信号として決定ボタン３０ｆが押された操作コードを受け取ると、その切替基準を確定し、設定情報保持手段１４に記憶させる。受信方法設定画面ＷＳにおける設定は、課金設定画面ＦＳで高画質に再生する料金体系で切り替えるが設定されている場合には無効となる（図１３参照）。ちなみに、画質と電波状態の両方を考慮して切り替える設定に対しては、画質と電波状態の考慮する割合を設定するために、ユーザが割合を設定するためのスケールバー等を設けるようにしてもよい。
【００５６】
図１３に示す課金設定画面ＦＳについて説明する。課金設定画面ＦＳは、階層を自動で切り替える際の切替基準を課金の料金体系で設定するための画面であり、高画質に再生する料金体系で切り替えるのか、あるいは、できる限り途切れない料金体系で切り替えるのかを選択することができる。ユーザ設定手段１３では、課金設定画面ＦＳが表示されているときに、操作信号受信手段１２から操作信号として上または下ボタン３０ｅが押された操作コードを受け取ると、前記２つの切替基準の選択を順次切り替える。また、ユーザ設定手段１３では、課金設定画面ＦＳで前記２つの切替基準のうちいずれか１つの切替基準が選択されているときに、操作信号受信手段１２から操作信号として決定ボタン３０ｆが押された操作コードを受け取ると、その切替基準を確定し、設定情報保持手段１４に記憶させる。
【００５７】
図８を参照して、設定情報保持手段１４について説明する。
設定情報保持手段１４は、ユーザによって設定した情報を記憶しておくための手段である。設定情報保持手段１４は、ＳＲＡＭ[Static RAM]等の記憶装置を備えている。設定情報保持手段１４では、受信方法設定画面ＷＳおよび課金設定画面ＦＳで設定された情報ならびにユーザによって設定されているチャンネル、階層、音量等の情報を記憶している。
【００５８】
図８を参照して、セグメント受信手段１５について説明する。
セグメント受信手段１５は、デジタル放送信号ＤＳを受信するための手段である。セグメント受信手段１５は、受信アンテナおよび受信回路等を備えている。セグメント受信手段１５では、受信アンテナでデジタル放送信号ＤＳ，・・・を受信し、ユーザによって設定されているチャンネルのデジタル放送信号ＤＳを抽出する。
【００５９】
図８および図１４を参照して、セグメント受信状態検出手段１６について説明する。
セグメント受信状態検出手段１６は、受信しているデジタル放送信号ＤＳの電波状態として、現在出力しているチャンネルのデジタル放送信号ＤＳの階層毎の電界強度を測定するための手段である。そのために、セグメント受信状態検出手段１６は、電界強度の測定回路等を備えている。セグメント受信状態検出手段１６では、セグメント受信手段１５で抽出したデジタル放送信号ＤＳの階層毎の電界強度を測定し、その階層毎の電界強度を測定日時、チャンネルおよび階層とともにセグメント受信状態履歴保持手段１７に記憶させる。ちなみに、デジタルテレビ放送受信装置１では、出力している映像および音声が途切れないために最低限必要な電界強度を基準電界強度として設定しており、測定した電界強度が基準電界強度より小さい場合には階層を切り替える（図１４参照）。
【００６０】
図８を参照して、セグメント受信状態履歴保持手段１７について説明する。
セグメント受信状態履歴保持手段１７は、セグメント受信状態検出手段１６で検出した情報を記憶しておくための手段である。そのために、セグメント受信状態履歴保持手段１７は、セグメント受信状態履歴を格納するためのエリアをハードディスク等の記憶装置に確保している。セグメント受信状態保持手段１７では、セグメント受信状態検出手段１６で測定したデジタル放送信号ＤＳの階層毎の電界強度、その測定日時および受信チャンネル、階層等の情報を記憶している。
【００６１】
図８を参照して、階層切替手段１８について説明する。
階層切替手段１８は、ユーザによって設定されているチャンネルのデジタル放送信号ＤＳのうちユーザによって設定されている階層または自動で切り替える階層を復調してＭＰＥＧ２ＴＳを取り出すための手段である。そのために、階層切替手段１８は、各種復調回路等を備えている。まず、階層切替手段１８では、チャンネル放送方式対応テーブルデータベース１１からユーザによって設定されているチャンネルの放送方式対応テーブル１１ｂを読み出し（図９参照）、その放送方式対応テーブル１１ｂから復調する階層のモード、キャリア変調方式、ガードインターバルおよび内符号を抽出し、各種復調回路のパラメータとして設定する。そして、階層切替手段１８では、セグメント受信手段１５で抽出したデジタル放送信号ＤＳにおける復調する階層の各セグメントに対して、ガードインターバルを除去処理、ＦＦＴ処理、ＴＭＣＣ信号とパイロット信号の取り出し処理、周波数デインターリーブ処理、時間デイッターリーブ処理および設定したモード、変調方式、内符号によりＯＦＤＭフレームとの同期処理を行い、復調する階層のＭＰＥＧ２ＴＳを取得する。なお、階層切替手段１８は、ユーザによって設定されているチャンネルの他の階層の映像状態を検出するために、他の階層を復調してＭＰＥＧ２ＴＳを取り出す場合もある。
【００６２】
図８を参照して、デコード手段１９について説明する。
デコード手段１９は、階層切替手段１８で復調したＭＰＥＧ２ＴＳを復号化して映像データおよび音声データを取り出すための手段である。そのために、デコード手段１９では、各種復号化回路等を備えている。デコード手段１９では、ＭＰＥＧ２ＴＳから符号化映像データおよび符号化音声データを取り出す。さらに、デコード手段１９では、符号化映像データおよび符号化音声データを分割映像データおよび分割音声データに復号化し、この分割映像データおよび分割音声データを組み合わせてテレビ番組コンテンツを再生するための映像データおよび音声データを生成する。
【００６３】
図８および図１５を参照して、映像状態検出手段２０について説明する。
映像状態検出手段２０は、映像状態（再生状態）として、現在出力しているチャンネルの階層毎の画質を測定するための手段である。そのために、映像状態検出手段２０は、画質の測定回路等を備えている。映像状態検出手段２０では、デコード手段１９で生成した映像データに基づいて、一画面の全てのマクロブロックについてブロックノイズ（映像として再生できない部分）か否かを判定し、一画面当りのブロックノイズの個数をカウントする。さらに、映像状態検出手段２０では、ブロックノイズの個数と基準ブロックノイズ数とを比較し、ブロックノイズの個数が基準ブロックノイズ数より多い場合には映像状態として不良と設定するとともにブロックノイズの個数が基準ブロック数以下の場合には映像状態として良好と設定する。そして、映像状態検出手段２０では、ブロックノイズの個数を測定日時、チャンネルおよび階層ならびに映像状態とともに映像状態履歴保持手段２１に記憶させる。ちなみに、図１５（ａ）に示すように、デジタルテレビ放送受信装置１における画質の測定では、一画面を１６×１６画素からなるマクロブロックに分割し、このマクロブロックが正常なデータか否かでブロックノイズを判定している。デジタルテレビ放送受信装置１では、これ以上画質が悪化するとユーザが見るに耐えない画質となるブロックノイズの個数を基準ブロックノイズ数として設定しており、測定したブロックノイズ数が基準ブロックノイズ数より多い場合には階層を切り替える。ブロックノイズになる要因としては、フェージング等によって、符号化映像データを復号化する際に符号化に必要な情報が欠落していて正常に復号できないこと、あるいは、符号化映像データのマクロブロックのデータがハフマン符号テーブルに存在しないデータであること等である。
【００６４】
図８を参照して、映像状態履歴保持手段２１について説明する。
映像状態履歴保持手段２１は、映像状態検出手段２０で検出した情報を記憶しておくための手段である。そのために、映像状態履歴保持手段２１は、映像状態履歴を格納するためのエリアをハードディスク等の記憶装置に確保している。映像状態履歴保持手段２１では、映像状態検出手段２０で測定したブロックノイズの個数、その測定日時、受信チャンネル、階層および映像状態等の情報を記憶している。
【００６５】
図８を参照して、出力手段２２について説明する。
出力手段２２は、デコード手段１９で復号化した映像データおよび音声データを映像出力および音声出力するための手段である。そのために、出力手段２２は、液晶ディスプレイ、スピーカ、アンプ等を備えている。出力手段２２では、映像データに基づいて液晶ディスプレイで映像を画面表示するとともに、音声データに基づいてスピーカから音声を出力する。
【００６６】
図８および図１６を参照して、再生階層通知手段２３について説明する。
再生階層通知手段２３は、現在出力している階層の情報および自動で切り替える際の情報を表示するための手段である。そのために、再生階層通知手段２３は、ＶＲＡＭやハードディスク等の記憶装置に各種表示用データを備えており、ＣＰＵによって再生階層通知プログラムが実行されて処理を行っている。図１６に示す、１セグメントの階層、３セグメントの階層、９セグメントの階層の３つの階層のうち、出力している３セグメントの階層の受信状態が悪化して１セグメントの階層に切り替える場合の例で説明する。
【００６７】
出力している階層の受信状態が良好の場合について説明する。この場合、再生階層通知手段２３では、液晶ディスプレイＬＤの画面の最上部に正常受信階層バーＧＢ１、正常受信階層バーＧＢ１の下部に正常受信文字ＧＣおよび正常受信階層バーＧＢ１の左側（画面に向かって見た場合）に正常受信マークＧＭを表示する。バーＧＢ１，ＮＢ，ＣＢ，ＧＢ２は、一定長さを有する長方形のバーであり、この長方形が横方向に９：３：１の割合で分割されており、９の割合の領域に９セグメントの階層、３の割合の領域に３セグメントの階層、１の割合の領域に１セグメントの階層の各受信状態の情報および全領域に自動で切り替える際の情報を示す。正常受信階層バーＧＢ１は、その３セグメントの階層の領域が青色で表示される。正常受信文字ＧＣは、「３セグメント受信中…」と表示される。正常受信マークＧＭは、笑っている顔を模式化したマークが表示される。
【００６８】
出力している階層の受信状態が悪化の場合について説明する。この場合、再生階層通知手段２３では、液晶ディスプレイＬＤの画面の最上部に異常受信階層バーＮＢ、異常受信階層バーＮＢの下部に異常受信文字ＮＣおよび異常受信階層バーＮＢの左側（画面に向かって見た場合）に異常受信マークＮＭを表示する。異常受信階層バーＮＢは、３セグメントの階層の領域が赤色で表示される。異常受信文字ＮＣは、「３セグメント受信状態が悪くなりました…」と表示される。異常受信マークＮＭは、困っている顔を模式化したマークが表示される。
【００６９】
階層を自動で切り替える場合について説明する。この場合、再生階層通知手段２３では、液晶ディスプレイＬＤの画面の最上部に検索中バーＣＢ、検索中バーＣＢの下部に検索中文字ＣＣおよび検索中バーＣＢの左側（画面に向かって見た場合）に検索中マークＣＭを表示する。検索中バーＣＢは、全領域が黄色で点滅表示される。検索中ＣＣは、「受信セグメントを検索します…」と表示される。検索中マークＣＭは、考え中の顔を模式化したマークが表示される。
【００７０】
出力する階層を切り替えた場合について説明する。この場合、再生階層通知手段２３では、液晶ディスプレイＬＤの画面の最上部に正常受信階層バーＧＢ２、正常受信階層バーＧＢ２の下部に切替文字ＳＣおよび正常受信階層バーＧＢ２の左側（画面に向かって見た場合）に正常受信マークＧＭを表示する。正常受信階層バーＧＢ２は、切り替えた１セグメントの階層の領域が青色で表示される。切替文字ＳＣは、「受信セグメントを１セグメントに設定しました…」と表示される。ちなみに、階層を自動で切り替える場合、通常、受信状態が良好な階層に切り替えるので、正常な受信状態を示す正常受信階層バーＧＢ２や正常受信マークＧＭが表示される。
【００７１】
図８を参照して、切替ルール生成手段２４について説明する。
切替ルール生成手段２４は、ユーザによって設定された受信状態の切替基準に応じて切り替える階層を決定する手段である。そのために、切替ルール生成手段２４は、ハードディスク等の記憶装置に各種判定値等を備えており、ＣＰＵによって切替ルール生成プログラムが実行されて処理を行っている。
【００７２】
切替ルール生成手段２４では、設定情報保持手段１４に記憶されている受信状態の切替基準を参照して、画質が悪くなったら切り替えるのか、電波の状態が悪くなったら切り替えるのか、あるいは、画質と電波状態の両方を考慮して切り替えるのかを判定し、各切替基準に応じて処理を行う。また、切替ルール生成手段２４では、切替基準が設定されていない場合には、処理を行わない。
【００７３】
切替基準が画質が悪くなったら切り替える場合の処理について説明する。切替ルール生成手段２４では、映像状態履歴保持手段２１から現在出力している階層のブロックノイズ数を読み出す。そして、切替ルール生成手段２４では、読み出したブロックノイズ数と基準ブロックノイズ数とを比較し（図１５参照）、現在出力している階層のブロックノイズ数が基準ブロック数以下の場合には現在出力している階層をそのまま継続し、現在出力している階層のブロックノイズ数が基準ブロックノイズ数より多い場合には画質の良好な階層を選択する処理に移行する。
【００７４】
画質が良好な階層を選択する処理に移行すると、切替ルール生成手段２４では、現在出力しているチャンネルにおける現在出力している階層以外の階層のブロックノイズ数を映像状態履歴保持手段２１から読み出す。そして、切替ルール生成手段２４では、現在出力しているチャンネルにおける全ての階層のブロックノイズ数を比較し、切り替える階層としてブロックノイズ数が最も少ない階層を選択する。
【００７５】
切替基準が電波の状態が悪くなったら切り替える場合の処理について説明する。切替ルール生成手段２４では、セグメント状態履歴保持手段１７から現在出力している階層の電界強度を読み出す。そして、切替ルール生成手段２４では、読み出した電界強度と基準電界強度とを比較し（図１４参照）、現在出力している階層の電界強度が基準電界強度以上の場合には現在出力している階層をそのまま継続し、現在出力している階層の電界強度が基準電界強度より小さい場合には電波状態が良好な階層を選択する処理に移行する。
【００７６】
電波状態が良好な階層を選択する処理に移行すると、切替ルール生成手段２４では、現在出力しているチャンネルにおける現在出力している階層以外の階層の電界強度をセグメント状態履歴保持手段１７から読み出す。そして、切替ルール生成手段２４では、現在出力しているチャンネルにおける全ての階層の電界強度を比較し、階層を切り替える階層として電界強度が最も大きいものを選択する。
【００７７】
切替基準が画質と電波状態の両方を考慮して切り替える場合の処理について説明する。まず、切替ルール生成手段２４では、セグメント状態履歴保持手段１７から現在出力している階層の電界強度および映像状態履歴保持手段２１から現在出力している階層のブロックノイズ数を読み出す。そして、切替ルール生成手段２４では、読み出した電界強度から基準電界強度を減算して差分電界強度を算出する。次に、切替ルール生成手段２４では、読み出したブロックノイズ数にαを乗算するとともに差分電界強度にβを乗算し、その２つの乗算値を加算して評価値を算出する。そして、切替ルール生成手段２４では、評価値と基準評価値とを比較し、評価値が基準評価値以上の場合には現在出力している階層をそのまま継続し、評価値が基準評価値より小さい場合には画質と電波状態が良好な階層を選択する処理に移行する。評価値は、画質と電波状態とを加味した受信状態を定量的に示す値であり、値が大きいほど受信状態が良好な値とする。基準評価値は、正常な映像および音声を出力するための受信状態を確保するために最低限必要な評価値である。αは、画質を考慮する割合にブロックノイズ数を評価値に適用するための変換係数を加味した値である。βは、電界強度を考慮する割合に電界強度を評価値に適用するための変換係数を加味した値である。画質を考慮する割合および電界強度を考慮する割合は、ユーザの設定による変数でもよいし、５０％と５０％等の定数でもよい。
【００７８】
画質と電波状態が良好な階層を選択する処理に移行すると、切替ルール生成手段２４では、現在出力しているチャンネルにおける現在出力している階層以外の階層の電界強度をセグメント状態履歴保持手段１７から読み出すとともに、現在出力しているチャンネルにおける現在出力している階層以外の階層のブロックノイズ数を映像状態履歴保持手段２１から読み出す。続いて、切替ルール生成手段２４では、前記と同様の算出方法により、現在出力しているチャンネルにおける現在出力している階層以外の階層の評価値を各々算出する。そして、切替ルール生成手段２４では、現在出力しているチャンネルにおける全ての階層の評価値を比較し、階層を切り替える階層として評価値が最も大きいものを選択する。
【００７９】
図８および図１７を参照して、課金設定手段２５について説明する。
課金設定手段２５は、ユーザによって設定された課金（料金体系）の切替基準に応じて切り替える階層を決定するとともに課金情報２６ａを設定するための手段である。そのために、課金設定手段２５は、ＣＰＵによって課金切替設定プログラムおよび課金情報設定プログラムが実行されて処理を行っている。
【００８０】
課金設定手段２５では、設定情報保持手段１４に記憶されている課金の切替基準を参照して、できる限り途切れない料金体系にする、あるいは、高画質に再生する料金体系にするのかを判定し、各切替基準に応じて処理を行う。また、課金設定手段２５では、切替基準が設定されていない場合には、処理を行わない。
【００８１】
できる限り途切れない料金体系で切り替える場合の処理について説明する。課金設定手段２５では、設定情報保持手段１４に記憶されている受信状態の切替基準を参照し、受信状態の切替基準が設定されているか否かを判定する。受信状態の切替基準が設定されている場合、課金設定手段２５では、前記した切替ルール生成手段２４での処理に移行する。受信状態の切替基準が設定されていない場合、課金設定手段２５では、ユーザによって設定されているチャンネルを取得する。そして、課金設定手段２５では、チャンネル放送方式対応テーブルデータベース１１からユーザによって設定されているチャンネルの放送方式対応テーブル１１ｂを参照し（図９参照）、切り替える階層としてそのチャンネルにおいて最もセグメント数の少ない階層を選択する。
【００８２】
高画質に再生する料金体系で切り替える場合の処理について説明する。課金設定手段２５では、ユーザによって設定されているチャンネルを取得する。そして、課金設定手段２５では、チャンネル放送方式対応テーブルデータベース１１からユーザによって設定されているチャンネルを放送方式対応テーブル１１ｂを参照し（図９参照）、切り替える階層としてそのチャンネルにおいて最もセグメント数の多い階層を選択する。
【００８３】
また、課金設定手段２５では、地上波デジタルテレビ放送の受信を開始すると、課金情報２６ａの設定を開始する（図１７参照）。課金設定手段２５では、受信開始時およびチャンネルか階層かが切り替わった時に、受信（出力）しているチャンネルおよび階層の情報を取得し、その情報を課金情報２６ａに設定する。そして、課金設定手段２５では、その受信しているチャンネルおよび階層の受信時間を計測し、その受信時間を課金情報２６ａに設定する。また、課金設定手段２５では、１０分毎に、前記したナビゲーション装置から自動車の現在地の緯度と経度の情報を取得するとともにセグメント受信状態履歴保持手段１７から電界強度の情報および映像状態履歴から映像状態の情報を取得し、それらの情報を課金情報２６ａに設定する。
【００８４】
図８および図１７を参照して、切替履歴保持手段２６について説明する。
切替履歴保持手段２６は、課金情報２６ａを記憶しておくための手段である。そのために、切替履歴保持手段２６は、課金情報２６ａを格納するためのエリアをハードディスク等の記憶装置に確保している。課金情報２６ａは、図１７に示すように、受信チャンネルの受信階層毎に、受信時間、１０分毎の緯度と経度、電界強度、映像状態、その１０分毎の時間の情報を有している。課金情報２６ａは、一日単位で管理され、一日毎に課金センタＩＳに送信される。
【００８５】
このデジタルテレビ放送受信装置１によれば、電界強度が基準電界強度より小さくなった場合には受信チャンネルの階層のうち最も電波状態が良好な階層に自動で切り替えるので、出力している階層の電界強度が低下した場合でも途切れることなく映像や音声を出力できる。また、デジタルテレビ放送受信装置１によれば、ブロックノイズ数が基準ブロックノイズ数より多くなった場合には受信チャンネルの階層のうち最も映像状態が良好な階層に自動で切り替えるので、画質の悪化を極力抑えることができる。さらに、デジタルテレビ放送受信装置１によれば、電界強度と画質の両方を考慮して受信チャンネルの階層のうち最も電波状態かつ映像状態が良好な階層に自動で切り替えるので、画質の悪化を抑えつつ途切れないように映像や音声を出力できる。また、デジタルテレビ放送受信装置１によれば、受信チャンネルにおける最も高画質の階層に自動で切り替えることもできる。
【００８６】
また、デジタルテレビ放送受信装置１によれば、課金設定画面ＦＳや受信方法設定画面ＷＳをユーザに対して提供するので、ユーザが状況に応じて切替基準を設定することができる。例えば、山間部や高層ビル街等の電波状態の悪い場合には電波状態を重視した切替基準、画面のチラツキが気になる場合には画質を重視した切替基準、あるいは自動車の停止中等の電波状態の良い場合には高画質とする切替基準等を設定できる。
【００８７】
さらに、デジタルテレビ放送受信装置１によれば、受信チャンネル、受信階層およびその受信時間の情報を定期的に課金センタＩＳに送信するので、ユーザが課金に関する処理を行わないでよい。また、デジタルテレビ放送受信装置１によれば、テレビ放送局ＴＳで放送方式を変更した場合や新たにテレビ放送局ＴＳが開局した場合でも、そのテレビ放送局ＴＳの放送方式が放送方式情報提供センタＯＳから送信されてくるので、放送方式の変更に迅速に対応して階層の切り替えを行うことができる。
【００８８】
図８乃至図１７を参照して、デジタルテレビ放送受信装置１における切替ルール生成処理を図１８のフローチャートに沿って説明する。図１８は、デジタルテレビ放送受信装置における切替ルール生成処理のフローチャートである。
【００８９】
デジタルテレビ放送受信装置１では、受信方法設定画面ＷＳで「画質が悪くなったら切り替える」が設定されているか否かを判定する（Ｓ１０）（図１２参照）。
【００９０】
「画質が悪くなったら切り替える」が設定されている場合、デジタルテレビ放送受信装置１では、現在出力している階層の一画面のマクロブロックにおけるブロックノイズを検出し（Ｓ１１）、一画面当りのブロックノイズの個数をカウントする（Ｓ１２）。そして、デジタルテレビ放送受信装置１では、一画面当りのブロックノイズ数が基準ブロックノイズ数より多いかを判定する（Ｓ１３）。検出ブロックノイズ数が基準ブロックノイズ数以下の場合（すなわち、画質が良好な場合）、デジタルテレビ放送受信装置１では、Ｓ１１の処理に戻る。
【００９１】
一方、検出ブロックノイズ数が基準ブロックノイズ数より多い場合（すなわち、画質が悪化している場合）、デジタルテレビ放送受信装置１では、現在受信しているチャンネルの現在出力中の階層以外の階層の一画面のマクロブロックにおけるブロックノイズを各々検出し、一画面当りのブロックノイズの個数を各々カウントする（Ｓ１４）。そして、デジタルテレビ放送受信装置１では、現在受信しているチャンネルの全ての階層の一画面当りのブロックノイズ数を比較し、切り替える階層としてブロックノイズ数が最も少ない階層を選択する（Ｓ１５）。例えば、図９における２０１チャンネルのＣ階層を出力している場合、Ａ階層およびＢ階層のブロックノイズの個数も各々カウントする。そして、Ａ〜Ｃ階層のブロックノイズ数を比較し、３つの階層のうちブロックノイズ数が最も少ない階層を切り替える階層とする。
なお、本実施の形態では、Ｓ１１、Ｓ１２およびＳ１４での処理が特許請求の範囲に記載する再生状態検出ステップに相当する。
【００９２】
「画質が悪くなったら切り替える」が設定されていない場合、デジタルテレビ放送受信装置１では、受信方法設定画面ＷＳで「電波の状態が悪くなったら切り替える」が設定されているか否かを判定する（Ｓ２０）（図１２参照）。
【００９３】
「電波の状態が悪くなったら切り替える」が設定されている場合、デジタルテレビ放送受信装置１では、現在出力している階層の電界強度を測定する（Ｓ２１）。そして、デジタルテレビ放送受信装置１では、測定した電界強度が基準電界強度より小さいかを判定する（Ｓ２２）。測定電界強度が基準電界強度以上の場合（すなわち、電波状態が良好な場合）、デジタルテレビ放送受信装置１では、Ｓ２１の処理に戻る。
【００９４】
一方、測定電界強度が基準電界強度より小さい場合（すなわち、電波状態が悪化している場合）、デジタルテレビ放送受信装置１では、現在受信しているチャンネルの現在出力中の階層以外の階層の電界強度を各々測定する（Ｓ２３）。そして、デジタルテレビ放送受信装置１では、現在受信しているチャンネルの全ての階層の電界強度を比較し、切り替える階層として電界強度が最も大きい階層を選択する（Ｓ２４）。例えば、図９における２０１チャンネルのＣ階層を出力している場合、Ａ階層およびＢ階層の電界強度も測定する。そして、Ａ〜Ｃ階層の電界強度を比較し、３つの階層のうち電界強度が最も大きい階層を切り替える階層とする。
なお、本実施の形態では、Ｓ２１およびＳ２３での処理が特許請求の範囲に記載する電界強度検出ステップに相当する。
【００９５】
「電波の状態が悪くなったら切り替える」が設定されていない場合、デジタルテレビ放送受信装置１では、受信方法設定画面ＷＳで「画質、電波の状態を考慮して切り替える」が設定されているか否かを判定する（Ｓ３０）（図１２参照）。「画質、電波の状態を考慮して切り替える」が設定されていない場合、デジタルテレビ放送受信装置１では、Ｓ１０の処理に戻る。
【００９６】
「画質、電波の状態を考慮して切り替える」が設定されている場合、デジタルテレビ放送受信装置１では、現在出力している階層の一画面のマクロブロックにおけるブロックノイズを検出し（Ｓ３１）、一画面当りのブロックノイズの個数をカウントする（Ｓ３２）。続いて、デジタルテレビ放送受信装置１では、現在出力している階層の電界強度を測定し（Ｓ３３）、差分電界強度（＝測定電界強度−基準電界強度）を算出する（Ｓ３４）。さらに、デジタルテレビ放送受信装置１では、現在出力している階層の評価値（＝検出ブロックノイズ数×α＋差分電界強度×β）を算出する（Ｓ３５）。そして、デジタルテレビ放送受信装置１では、算出した評価値が基準評価値より小さいかを判定する（Ｓ３６）。算出評価値が基準評価値以上の場合（すなわち、画質および電波状態による総合的な受信状態が良好な場合）、デジタルテレビ放送受信装置１では、Ｓ３１の処理に戻る。
【００９７】
一方、算出評価値が基準評価値より小さい場合（すなわち、画質および電波状態による総合的な受信状態が悪化している場合）、デジタルテレビ放送受信装置１では、Ｓ３１からＳ３５の処理と同様の処理により、現在受信しているチャンネルの現在出力中の階層以外の階層の評価値を各々算出する（Ｓ３７）。そして、デジタルテレビ放送受信装置１では、現在受信しているチャンネルの全ての階層の算出評価値を比較し、切り替える階層として評価値が最も大きい階層を選択する（Ｓ３８）。例えば、図９における２０１チャンネルのＣ階層を出力している場合、Ａ階層およびＢ階層の評価値も算出する。そして、Ａ〜Ｃ階層の評価値を比較し、３つの階層のうち評価値が最も大きい階層を切り替える階層とする。
【００９８】
そして、デジタルテレビ放送受信装置１では、Ｓ１５、Ｓ２４またはＳ３８で階層を選択すると、図１９に示す階層切替処理に移行する。
なお、本実施の形態では、Ｓ１５、Ｓ２４およびＳ３８での処理が特許請求の範囲に記載する階層決定ステップに相当する。
【００９９】
図８乃至図１７を参照して、デジタルテレビ放送受信装置１における階層切替処理を図１９のフローチャートに沿って説明する。図１９は、デジタルテレビ放送受信装置における階層切替処理のフローチャートである。
【０１００】
デジタルテレビ放送受信装置１では、ユーザによってチャンネルまたは／および階層が設定された場合あるいは図１８に示す切替ルール生成処理または図２０に示す課金切替処理で切り替える階層を選択した場合、その階層のチャンネルを設定する（Ｓ４０）。
【０１０１】
続いて、デジタルテレビ放送受信装置１では、チャンネル放送方式対応テーブルデータベース１１から設定したチャンネルの放送方式対応テーブル１１ｂを読み出す（Ｓ４１）（図９参照）。
【０１０２】
そして、デジタルテレビ放送受信装置１では、読み出した放送方式対応テーブル１１ｂに基づいて、設定されたあるいは選択した階層のモード、変調方式、ガードインターバルおよび内符号を設定する（Ｓ４２、Ｓ４３、Ｓ４４、Ｓ４５）。例えば、図９における２０１チャンネルのＣ階層からＡ階層に切り替える場合、モードとして３、変調方式としてＤＱＰＳＫ、ガードインターバルとして１／４および内符号として７／８を設定する。
【０１０３】
続いて、デジタルテレビ放送受信装置１では、受信しているデジタル放送信号ＤＳの該当する階層のセグメントを取得する（Ｓ４６）。図９における２０１チャンネルのＣ階層からＡ階層に切り替える場合、２０１チャンネルのデジタル放送信号ＤＳのうちのＡ階層の１つのセグメントを取得する。
【０１０４】
そして、デジタルテレビ放送受信装置１では、設定したガードインターバルに基づいて、取得した各セグメントからガードインターバルを除去する（Ｓ４７）。
【０１０５】
さらに、デジタルテレビ放送受信装置１では、ガードインターバルを除去したセグメントに、ＦＦＴを実行し（Ｓ４８）、ＦＦＴ後にＴＭＣＣ信号およびパイロット信号を取り出す（Ｓ４９）。
【０１０６】
続いて、デジタルテレビ放送受信装置１では、周波数デインターリーブを行い（Ｓ５０）、さらに、時間デインターリーブを行う（Ｓ５１）。
【０１０７】
そして、デジタルテレビ放送受信装置１では、設定したモード、変調方式および内符号に基づいて、ＯＦＤＭフレームと同期し（Ｓ５２）、ＭＰＥＧ２ＴＳを取得して処理を終了する（Ｓ５３）。
なお、本実施の形態では、Ｓ４０〜Ｓ５３での処理が特許請求の範囲に記載する切替ステップに相当する。
【０１０８】
図８乃至図１７を参照して、デジタルテレビ放送受信装置１における課金切替設定処理を図２０のフローチャートに沿って説明する。図２０は、デジタルテレビ放送受信装置における課金切替設定処理のフローチャートである。
【０１０９】
デジタルテレビ放送受信装置１では、課金設定画面ＦＳで「できる限り途切れない料金体系にする」が設定されているか否かを判定する（Ｓ６０）（図１３参照）。
【０１１０】
「できる限り途切れない料金体系にする」が設定されている場合、デジタルテレビ放送受信装置１では、受信方法設定画面ＷＳで受信状態による切替基準が設定されているか否かを判定する（Ｓ６１）（図１２参照）。受信状態による切替基準が設定されている場合、デジタルテレビ放送受信装置１では、図１８に示す切替ルール生成処理に移行する。一方、受信状態による切替基準が設定されていない場合、デジタルテレビ放送受信装置１では、ユーザによって設定されているチャンネルを取得し（Ｓ６２）、切り替える階層として取得したチャンネルにおける最もセグメント数の少ない階層を選択する（Ｓ６３）。例えば、図９における２０１チャンネルのＣ階層を出力している場合、１つのセグメントからなるＡ階層を切り替える階層とする。
【０１１１】
「できる限り途切れない料金体系にする」が設定されていない場合、デジタルテレビ放送受信装置１では、課金設定画面ＦＳで「高画質に再生する料金体系にする」が設定されているか否かを判定する（Ｓ７０）（図１３参照）。「高画質に再生する料金体系にする」が設定されていない場合、デジタルテレビ放送受信装置１では、Ｓ６０の処理に戻る。
【０１１２】
「高画質に再生する料金体系にする」が設定されている場合、デジタルテレビ放送受信装置１では、ユーザによって設定されているチャンネルを取得し（Ｓ７１）、切り替える階層として取得したチャンネルにおける最もセグメント数の多い階層を選択する（Ｓ７２）。例えば、図９における２０１チャンネルのＣ階層を出力している場合、９つのセグメントからなるＢ階層を切り替える階層とする。
【０１１３】
そして、デジタルテレビ放送受信装置１では、Ｓ６３またはＳ７２で階層を選択すると、図１９に示す階層切替処理に移行する。
【０１１４】
図８乃至図１７を参照して、デジタルテレビ放送受信装置１における課金情報設定処理を図２１のフローチャートに沿って説明する。図２１は、デジタルテレビ放送受信装置における課金情報設定処理のフローチャートである。
【０１１５】
デジタルテレビ放送受信装置１では、ユーザによって地上波デジタルテレビ放送の受信を開始したか否かを判定し（Ｓ８０）、受信を開始すると課金情報２６ａを設定するための処理に移行する（図１７参照）。
【０１１６】
まず、デジタルテレビ放送受信装置１では、受信時間の計測を開始する（Ｓ８１）。
【０１１７】
続いて、デジタルテレビ放送受信装置１では、現在受信している（すなわち、現在出力している）チャンネルおよび階層を取得し、その情報を課金情報２６ａに設定する（Ｓ８２）（図１７参照）。
【０１１８】
次に、デジタルテレビ放送受信装置１では、ナビゲーション装置から現在地の緯度と経度を取得し、その情報を課金情報２６ａに設定する（Ｓ８３）（図１７参照）。
【０１１９】
さらに、デジタルテレビ放送受信装置１では、現在受信しているチャンネルにおける階層の電界強度を取得して課金情報２６ａに設定するとともに（Ｓ８４）、現在受信しているチャンネルにおける階層の映像状態を取得して課金情報２６ａに設定する（Ｓ８５）（図１７参照）。
【０１２０】
続いて、デジタルテレビ放送受信装置１では、ユーザによってチャンネルまたは／および階層が変更されたか、あるいは、自動で階層を変更したかを判定する（Ｓ８６）。チャンネルまたは／および階層の変更がある場合、デジタルテレビ放送受信装置１では、変更したチャンネルまたは／および階層の課金情報２６ａを設定するために、受信時間の計測を終了し、計測した受信時間を課金情報２６ａに設定してＳ８１の処理に戻る（Ｓ８７）（図１７参照）。
【０１２１】
チャンネルまたは／および階層の変更がない場合、デジタルテレビ放送受信装置１では、緯度と経度を取得してから１０分経過したか否かを判定する（Ｓ８８）。１０分経過した場合、デジタルテレビ放送受信装置１では、１０分毎の緯度と経度、電界強度および映像状態を課金情報を設定するために、Ｓ８３の処理に戻る。
【０１２２】
１０分経過していない場合、デジタルテレビ放送受信装置１では、地上波デジタルテレビ放送の受信を終了したか否かを判定する（Ｓ８９）。受信を終了していない場合、デジタルテレビ放送受信装置１では、Ｓ８６の処理に戻る。
【０１２３】
受信を終了した場合、デジタルテレビ放送受信装置１では、受信時間の計測を終了し、計測した受信時間を課金情報２６ａに設定して処理を終了する（Ｓ９０）（図１７参照）。
【０１２４】
図８乃至図１７を参照して、デジタルテレビ放送受信装置１における課金情報送信処理を図２２のフローチャートに沿って説明する。図２２は、デジタルテレビ放送受信装置における課金情報送信処理のフローチャートである。
【０１２５】
デジタルテレビ放送受信装置１では、午前０時か否かを判定する（Ｓ１００）。
【０１２６】
午前０時になると、デジタルテレビ放送受信装置１では、インターネットＩＮを介して課金サーバ（図示せず）に接続し、課金センタＩＳとの通信路を確立する（Ｓ１０１）（図７参照）。
【０１２７】
続いて、デジタルテレビ放送受信装置１では、ユーザＩＤやパスワード等を設定し、ユーザ認証を行う（Ｓ１０２）。
【０１２８】
認証されると、デジタルテレビ放送受信装置１では、前日分の課金情報２６ａを送信し（Ｓ１０３）（図１７参照）、課金サーバ（図示せず）との接続を切断して処理を終了する。
【０１２９】
図１、図７および図１７を参照して、課金情報２６ａが送信される課金センタＩＳ（課金サーバ（図示せず））における各ユーザ（すなわち、各ユーザが所有するデジタルテレビ放送受信装置１での受信）に対する受信料の算出処理を図２３のフローチャートに沿って説明する。図２３は、課金センタにおける受信料算出処理のフローチャートである。ここでは、ユーザとの課金契約において月毎の時間無制限の初期受信料［＝ｉ円／月］、分当りの割引料（割引係数［＝ｃ円／分］）、割引するか否かの基準となる割引セグメント数［＝ｊ個］、割引セグメント数以下のセグメント数毎の割引率［＝ｘ％］が設定されている場合の一月分の受信料［＝Ｚ円］の算出について説明する。例えば、初期受信料が１０００円、割引係数が１円／分、割引セグメント数が６、割引率がセグメント数６〜３については１０％、セグメント数２〜１については２０％とする。
【０１３０】
課金サーバでは、月末か否かを判定する（Ｓ１１０）。
【０１３１】
月末になると、課金サーバでは、受信料を算出する対象のユーザと結んでいる課金契約から、初期受信料［＝ｉ円／月］、割引係数［＝ｃ円／分］および割引セグメント数［＝ｊ個］を取得する（Ｓ１１１、Ｓ１１２、Ｓ１１３）。例えば、初期受信料として１０００円、割引係数として１円／分、割引セグメント数として６個を取得する。
【０１３２】
そして、課金サーバでは、受信料［＝Ｚ円］として初期受信料［＝ｉ円／月］を初期設定する（Ｓ１１４）。例えば、受信料［＝Ｚ円］として１０００円を設定する。
【０１３３】
続いて、課金サーバでは、受信料を算出する対象のユーザ（デジタルテレビ放送受信装置１）から送信された一月分の課金情報２６ａに基づいて（図１７参照）、受信階層のセグメント数が全て割引セグメント数［＝ｊ個］より多いか否かを判定する（Ｓ１１５）。受信階層の中に割引セグメント数［＝ｊ個］以下の階層がない場合、課金サーバでは、このユーザの一月分の受信料［＝Ｚ円］を初期受信料［＝ｉ円／月］として、Ｓ１２３の処理に移行する。例えば、割引セグメント数が６個の場合、受信階層の中に６個以下のセグメントからなる階層がないと、割引の対象とはならないので、受信料は初期受信料の１０００円となる。
【０１３４】
受信階層の中に割引セグメント数［＝ｊ個］以下の階層がある場合、課金サーバでは、割引計算を行う対象のセグメント数［＝Ｓ］に割引セグメント数［＝ｊ個］を初期設定し、初期受信料［＝ｉ円／月］から割り引く処理に移る（Ｓ１１６）。例えば、割引セグメント数が６個の場合、受信階層の中に図９に示す２０１チャンネルのＣ階層（セグメント数＝３個）やＡ階層（セグメント数＝１個）等があると、割引の対象となるので、初期受信料１０００円から割り引かれる。
【０１３５】
続いて、課金サーバでは、一月分の課金情報２６ａに基づいて（図１７参照）、受信階層の中にセグメント数［＝Ｓ］に該当する階層があるか否かを判定する（Ｓ１１７）。受信階層の中にセグメント数［＝Ｓ］に該当する階層がない場合、課金サーバでは、割引計算を行う対象のセグメント数［＝Ｓ］を変えるために、Ｓ１２２の処理に移行する。例えば、セグメント数［＝Ｓ］が６個の場合、受信階層の中に６個からなる階層がないと、セグメント数［＝Ｓ］を６から１づつ減らしていく。
【０１３６】
受信階層の中にセグメント数［＝Ｓ］に該当する階層がある場合、課金サーバでは、課金契約から、セグメント数［＝Ｓ］の割引率［＝ｘ％］を取得する（Ｓ１１８）。例えば、受信階層の中にセグメント数［＝Ｓ］が３個に該当する階層がある場合には割引率として１０％を取得し、セグメント数［＝Ｓ］が１個に該当する階層がある場合には割引率として２０％を取得する。さらに、課金サーバでは、一月分の課金情報２６ａに基づいて（図１７参照）、セグメント数［＝Ｓ］に該当する階層の受信時間を積算し、セグメント数［＝Ｓ］の階層の一月分の受信時間［＝ｔ分］を求める（Ｓ１１９）。そして、課金サーバでは、（前回算出時の受信料［＝Ｚ円］−割引係数［＝ｃ円／分］×（割引率［＝ｘ％］／１００）×受信時間［＝ｔ分］）の割引算出式により、セグメント数［＝Ｓ］での割引後の受信料［＝Ｚ円］を算出する（Ｓ１２０）。例えば、セグメント数［＝Ｓ］が３個で、前回算出時の受信料が９２９円、割引係数が１円／分、割引率が１０％、受信時間が５００分の場合、今回算出時の受信料は８７９（＝９２９−１×（１０／１００）×５００）円となる。
【０１３７】
受信料［＝Ｚ円］を算出すると、課金サーバでは、セグメント数［＝Ｓ］が１か否かを判定する。
【０１３８】
セグメント数［＝Ｓ］が１でない場合、課金サーバでは、次のセグメント数［＝Ｓ］で割引計算を行うために、セグメント数［＝Ｓ］から１を減算し（Ｓ１２１）、Ｓ１１７の処理に戻る。
【０１３９】
セグメント数［＝Ｓ］が１の場合、課金サーバでは、このユーザの一月分の受信料［＝Ｚ円］を確定して、このユーザに対する割引計算を終了し、Ｓ１２３の処理に移行する。
【０１４０】
各ユーザに対する受信料の算出が終了する毎に、課金サーバでは、全てのユーザについて受信料の算出を行ったか否かを判定し（Ｓ１２３）、行っていない場合にはＳ１１１の処理に戻り、行った場合には処理を終了する。
【０１４１】
図１乃至図２３を参照して、デジタルテレビ放送受信装置１（ユーザ）と課金センタＩＳ（課金サーバ）との課金に関するやりとりを図２４のフローに沿って説明する。図２４は、デジタルテレビ放送受信装置（ユーザ）と課金センタ間との課金に関するやりとりを示すフロー図である。
【０１４２】
ユーザは、地上波デジタルテレビ放送を受信したい場合、管理センタＣＳの課金センタＩＳとの間で課金契約を結ぶ（Ｍ１０）。この課金契約は、デジタルテレビ放送受信装置１により課金センタＩＳが開設しているホームページにアクセスしてインターネットＩＮを介して行ってもよいし、郵便物で行ってもよいし、あるいは、ユーザが課金センタＩＳで直接行ってもよい。
【０１４３】
課金契約を結ぶと、課金センタＩＳでは、デジタルテレビ放送受信装置１と課金センタＩＳの課金サーバとの接続時の認証等に使用するために、ユーザにユーザＩＤを貸与するとともに、課金サーバのＩＰ[Internet Protocol]アドレス等の情報も提供する（Ｍ１１）。このとき、必要に応じて、暗証番号等も設定する。また、ユーザは、課金センタＩＳにデジタルテレビ放送受信装置１のＩＰアドレス等の情報を提供する。
【０１４４】
地上波デジタルテレビ放送を受信し始めると、デジタルテレビ放送受信装置１では、一日分の課金情報２６ａを送信するために（図１７参照）、午前０時か否かを判定する（Ｍ１２）。
【０１４５】
午前０時になると、デジタルテレビ放送受信装置１では、課金サーバのＩＰアドレスにより課金サーバとの接続の設定を開始し（Ｍ１３）、インターネットＩＮを介して課金サーバに接続する（Ｍ１４）。
【０１４６】
接続すると、デジタルテレビ放送受信装置１では、課金サーバにユーザＩＤや暗証番号等の認証情報を送信する（Ｍ１５）。すると、課金サーバでは、その認証情報を確認し、確認すると認証済み信号をデジタルテレビ放送受信装置１に送信する（Ｍ１６）。
【０１４７】
認証が終了すると、デジタルテレビ放送受信装置１では、前日分の課金情報２６ａを課金サーバに送信する（Ｍ１７）。
【０１４８】
課金情報２６ａが送信されると、課金サーバでは、ユーザＩＤ毎に、課金情報２６ａを課金情報データベース（図示せず）に格納する（Ｍ１８）。
【０１４９】
また、課金サーバでは、一月分の受信料を算出するために、月末か否かを判定する（Ｍ１９）。
【０１５０】
月末になると、課金サーバでは、ユーザ毎の受信料を算出する（Ｍ２０）。
【０１５１】
そして、課金センタＩＳでは、一月毎に、各ユーザに対して受信料を請求する（Ｍ２１）。この受信料の請求は、インターネットＩＮを介してデジタルテレビ放送受信装置１に対して行ってもよいし、あるいは、郵便物で行ってもよいし。
【０１５２】
この請求に応じて、ユーザは、受信料を課金センタＩＳに支払う（Ｍ２２）。この支払いは、振込でもよいし、郵送でもよいし、あるいは、ユーザが課金センタＩＳで直接支払ってもよい。
【０１５３】
以上のような課金に関するやりとりを行うことにより、ユーザ側では課金に関する煩わしい作業を殆どデジタルテレビ放送受信装置１で行うことができ、課金センタＩＳ側でも課金に関する煩わしい作業を殆ど課金サーバで行うことができる。また、課金契約に課金情報２６ａを視聴率に利用してよい条件が含まれている場合には、管理センタＣＳの視聴率管理センタＲＳで課金情報を有効利用できる。また、課金情報２６ａに緯度経度、電界強度、映像状態等を含めることにより、管理センタＣＳで電波の干渉エリアを特定でき、その情報を各テレビ放送局ＴＳに提供できる。
【０１５４】
図１乃至図２３を参照して、デジタルテレビ放送受信装置１（ユーザ）と放送方式情報提供センタＯＳ（放送方式情報提供サーバ）との放送方式に関するやりとりを図２５のフローに沿って説明する。図２５は、デジタルテレビ放送受信装置（ユーザ）と放送方式情報提供センタ間との放送方式に関するやりとりを示すフロー図である。
【０１５５】
ユーザは、テレビ放送局毎（チャンネル毎）の放送方式対応テーブルをインターネットＩＮを介して提供してもらいたい場合、管理センタＣＳの放送方式情報提供センタＯＳとの間で情報提供契約を結ぶ（Ｍ３０）。この情報提供契約は、デジタルテレビ放送受信装置１により放送方式情報提供センタＯＳが開設しているホームページにアクセスしてインターネットＩＮを介して行ってもよいし、郵便物で行ってもよいし、あるいは、ユーザが放送方式情報提供センタＯＳで直接行ってもよい。
【０１５６】
情報提供契約を結ぶと、放送方式情報提供センタＯＳでは、デジタルテレビ放送受信装置１と放送方式情報提供センタＯＳの放送方式情報提供サーバとの接続時の認証等に使用するために、ユーザに対してユーザＩＤを貸与するとともに、放送方式情報提供サーバのＩＰアドレス等の情報も提供する（Ｍ３１）。このとき、必要に応じて、暗証番号等も設定する。また、ユーザは、放送方式情報提供センタＯＳにデジタルテレビ放送受信装置１のＩＰアドレス等の情報を提供する。
【０１５７】
ユーザが放送方式の情報を提供してほしい場合あるいは一定期間毎（例えば、一日毎）に、デジタルテレビ放送受信装置１では、放送方式情報提供サーバのＩＰサーバにより放送方式情報提供サーバとの接続の設定を開始し（Ｍ３２）、インターネットＩＮを介して放送方式情報提供サーバに接続する（Ｍ３３）。
【０１５８】
接続すると、デジタルテレビ放送受信装置１では、放送方式情報提供サーバにユーザＩＤや暗証番号等の認証情報を送信する（Ｍ３４）。すると、放送方式情報提供サーバでは、その認証情報を確認し、確認すると認証済み信号をデジタルテレビ放送受信装置１に送信する（Ｍ３５）。なお、Ｍ３２〜Ｍ３５ではデジタルテレビ放送受信装置１から接続する場合であるが、定期的にあるいはテレビ放送局ＴＳで放送方式を変更する毎に、放送方式情報提供サーバから接続するようにしてもよい。
【０１５９】
認証が終了すると、放送方式情報提供サーバでは、最新のチャンネル毎の放送方式対応テーブルをデジタルテレビ放送受信装置１に送信する（Ｍ３６）（図９参照）。
【０１６０】
チャンネル毎の放送方式対応テーブルが送信されると、デジタルテレビ放送受信装置１では、チャンネル毎の放送方式対応テーブルをチャンネル放送方式対応テーブルデータベース１１に格納する（Ｍ３７）。
なお、本実施の形態では、Ｍ３２〜Ｍ３７での処理が特許請求の範囲に記載する取得ステップに相当する。
【０１６１】
また、放送方式情報提供サーバでは、一月分の受信料を算出するために、月末か否かを判定する（Ｍ３８）。
【０１６２】
月末になると、放送方式情報提供サーバでは、ユーザ毎の情報提供料を算出する（Ｍ３９）。情報提供料の算出は、情報提供契約の内容に従って行われ、提供した情報量に応じて提供料を算出したり、送信した回数に応じて提供料を算出したり、あるいは、一月分の情報提供料が一定料金に設定している場合には算出を行わない。
【０１６３】
そして、放送方式情報提供センタＯＳでは、一月毎に、各ユーザに対して情報提供料を請求する（Ｍ４０）。この情報提供料の請求は、インターネットＩＮを介してデジタルテレビ放送受信装置１に対して行ってもよいし、あるいは、郵便物で行ってもよいし。
【０１６４】
この請求に応じて、ユーザは、情報提供料を放送方式情報提供センタＯＳに支払う（Ｍ４１）。この支払いは、振込でもよいし、郵送でもよいし、あるいは、ユーザが放送方式情報提供センタＯＳで直接支払ってもよい。
【０１６５】
以上のような放送方式に関するやりとりを行うことにより、ユーザ側では、テレビ放送局ＴＳで放送方式が変更された場合や新たにテレビ放送局ＴＳが開局された場合でも、その放送方式を迅速に入手でき、そのテレビ放送局ＴＳが提供するテレビ番組コンテンツを出力できる。
【０１６６】
以上、本発明の実施の形態について説明したが、本発明は、前記の実施の形態に限定されることなく、様々な形態で実施される。
例えば、本実施の形態ではユーザが階層を自動で切り替える際の切替基準を設定する構成としたが、ユーザが切替基準を設定しないで、デジタル受信装置側の判断で映像や音声が途切れないように階層を切り替えるようにしてもよい。
また、本実施の形態では本発明に係るデジタル放送受信装置を自動車搭載テレビ用に適用したが、家庭等に設置される固定テレビ用、電車や飛行機等の他の移動体に搭載されるテレビ用、あるいは、携帯電話の１つの機能として備えられるテレビ用にも適用してよい。
また、本実施の形態では本発明に係るデジタル放送受信装置をデジタルテレビ放送用に適用したが、デジタル音声放送用やデジタル文字放送等にも適用してよい。
また、本実施の形態では本発明に係るデジタル放送受信装置を地上波放送用に適用したが、ＢＳ放送やＣＳ放送の衛星放送用にも適用してよい。
また、本実施の形態では放送局毎の放送方式をインターネットを介して提供する構成としたが、専用回線やデジタル放送信号に乗せての放送等の他の通信媒体を介して提供してもよい。
【０１６７】
また、本実施の形態では有料のテレビ放送を対象としてが、無料の放送を対象としてもよい。
また、本実施の形態では管理センタにおいて全テレビ放送局の課金を一括して行ったりあるいは放送方式を送信する構成としたが、各放送局が個別に課金や放送方式の送信を行う構成としてもよい。
また、本実施の形態では管理センタが全テレビ放送局から独立した事業体としたが、各放送局自体が管理センタを運営してもよいし、あるいは、全放送局あるいは一部の放送局が共同で運営してもよい。
また、本実施の形態では複数のテレビ放送局のデジタル放送信号をテレビ塔から放送する構成としたが、各テレビ放送局の中継局から放送する構成としてもよい。
【０１６８】
また、本実施の形態では放送方式で設定するパラメータをモード、キャリアの変調方式、ガードインターバルおよび誤り訂正の内符号としたが、この他に時間インターリーブ、周波数インターリーブ、誤り訂正の外符号等の他のパラメータを設定してもよい。
また、本実施の形態では再生状態として画質を検出し、画質を階層を切り替える判断基準とする構成としたが、再生状態として音質を検出し、音質を階層を切り替える判断基準としてもよい。
また、本実施の形態では階層の情報や階層を切り替える際の情報をマーク表示、文字表示およびバー表示で示す構成としたが、この３つの表示の１つまたは２つの表示を情報として示してもよいし、他の表示の方法で示してもよいし、あるいは、音声で示すようにしてもよい。
また、本実施の形態では電界強度や映像状態の情報を一定時間毎に課金情報に格納する構成としたが、電界強度が小さくなった場合や映像状態が悪化した場合にのみ格納するようにしてもよいし、あるいは、自動車が一定距離移動する毎に格納するようにしてもよい。
【０１６９】
【発明の効果】
本発明によれば、映像や音声が途切れそうな受信状態の階層で出力している場合でも、受信状態の良好な階層に切り替えて出力することができる。
【図面の簡単な説明】
【図１】本実施の形態に係る地上波デジタルテレビ放送システムの全体構成図である。
【図２】セグメントの分割の例であり、（ａ）は１＋１２セグメントの分割例であり、（ｂ）は１＋９＋３セグメントの分割例である。
【図３】１＋９＋３セグメントの分割を例としてセグメント数と映像品質およびエラー耐性との関係を説明する図である。
【図４】デジタル放送信号の伝送スペクトルの受信方式の説明図である。
【図５】本実施の形態に係るテレビ放送局の構成図である。
【図６】デジタル放送信号を生成するためのＭＰＥＧ２ＴＳの説明図である。
【図７】本実施の形態に係る管理センタの構成図である。
【図８】本実施の形態に係るデジタルテレビ放送受信装置の構成図である。
【図９】本実施の形態に係るチャンネル−放送方式対応テーブルであり、（ａ）はチャンネル−放送方式コード対応テーブルであり、（ｂ）は放送方式コード毎の放送方式対応テーブルである。
【図１０】本実施の形態に係るデジタルテレビ放送受信装置のリモコンの正面図である。
【図１１】本実施の形態に係るデジタルテレビ放送受信装置におけるユーザによる設定の説明図である。
【図１２】本実施の形態に係るデジタルテレビ放送受信装置における受信方法設定画面である。
【図１３】本実施の形態に係るデジタルテレビ放送受信装置における課金設定画面である。
【図１４】デジタル放送信号の受信時の電界強度検出方法の説明図である。
【図１５】映像における画質検出方法の説明図であり、（ａ）は良好な画質の場合であり、（ｂ）は不良の画質の場合である。
【図１６】本実施の形態に係るデジタルテレビ放送受信装置における受信状態を示す画面の一例である、（ａ）は３セグメントの階層の受信状態が正常時の画面であり、（ｂ）は３セグメントの階層の受信状態が異常時の画面であり、（ｃ）は受信するセグメントの階層を検索中の画面であり、（ｄ）は１セグメントの階層に切り替え時の画面である。
【図１７】本実施の形態に係る課金情報のデータ構成図である。
【図１８】本実施の形態に係るデジタルテレビ放送受信装置における切替ルール生成処理のフローチャートである。
【図１９】本実施の形態に係るデジタルテレビ放送受信装置における階層切替処理のフローチャートである。
【図２０】本実施の形態に係るデジタルテレビ放送受信装置における課金切替設定処理のフローチャートである。
【図２１】本実施の形態に係るデジタルテレビ放送受信装置における課金情報設定処理のフローチャートである。
【図２２】本実施の形態に係るデジタルテレビ放送受信装置における課金情報送信処理のフローチャートである。
【図２３】本実施の形態に係る課金センタにおける受信料算出処理のフローチャートである。
【図２４】本実施の形態に係るデジタルテレビ放送受信装置（ユーザ）と課金センタ間との課金に関するやりとりを示すフロー図である。
【図２５】本実施の形態に係るデジタルテレビ放送受信装置（ユーザ）と放送方式情報提供センタ間との放送方式に関するやりとりを示すフロー図である。
【符号の説明】
１・・・デジタルテレビ放送受信装置（デジタル放送受信装置）
１０・・・通信手段
１１・・・チャンネル放送方式対応テーブルデータベース（放送方式保持手段）
１３・・・ユーザ設定手段（設定画面提供手段）
１６・・・セグメント受信状態検出手段（電界強度検出手段）
１８・・・階層切替手段（切替手段）
２０・・・映像状態検出手段（再生状態検出手段）
２２・・・出力手段（設定画面提供手段、階層情報表示手段）
２３・・・再生階層通知手段（階層情報表示手段）
２４・・・切替ルール生成手段（階層決定手段）
２６・・・切替履歴保持手段（履歴保持手段）
Ｓ・・・地上波デジタルテレビ放送システム
ＣＳ・・・管理センタ
ＤＳ・・・デジタル放送信号
ＦＳ・・・課金設定画面
ＩＮ・・・インターネット（放送以外の通信媒体）
ＩＳ・・・課金センタ（デジタル放送の課金を行うセンタ）
ＭＳ・・・設定メニュー画面
ＯＳ・・・放送方式情報提供センタ
ＲＳ・・・視聴率管理センタ
ＴＳ・・・テレビ放送局（放送局）
ＷＳ・・・受信方法設定画面
【図１】
0004197402.tif 000002
【図２】
0004197402.tif 000003
【図３】
0004197402.tif 000004
【図４】
0004197402.tif 000005
【図５】
0004197402.tif 000006
【図６】
0004197402.tif 000007
【図７】
0004197402.tif 000008
【図８】
0004197402.tif 000009
【図９】
0004197402.tif 000010
【図１０】
0004197402.tif 000011
【図１１】
0004197402.tif 000012
【図１２】
0004197402.tif 000013
【図１３】
0004197402.tif 000014
【図１４】
0004197402.tif 000015
【図１５】
0004197402.tif 000016
【図１６】
0004197402.tif 000017
【図１７】
0004197402.tif 000018
【図１８】
0004197402.tif 000019
【図１９】
0004197402.tif 000020
【図２０】
0004197402.tif 000021
【図２１】
0004197402.tif 000022
【図２２】
0004197402.tif 000023
【図２３】
0004197402.tif 000024
【図２４】
0004197402.tif 000025
【図２５】
0004197402.tif 000026